(57)【特許請求の範囲】
【請求項１】
建物の開口部又は建物の内部空間を仕切る間仕切部に設けられ、上下方向に伸縮して当該開口部又は当該間仕切部を開放及び遮蔽可能なスクリーンシャッタ構造において、
前記開口部又は前記間仕切部には、その両側縦材に鉛直方向に沿って互いに対向してそれぞれ１以上の突条からなる突出部が形成されており、
両側の前記突出部の間に収まる形状の蛇腹状に形成された１又は複数層の中蛇腹体と、
該中蛇腹体の両側の折曲部分にそれぞれ固定され、前記開口部又は前記間仕切部を遮蔽するときに略平面状で、前記開口部又は前記間仕切部を開放するときに折り重ねられる蛇腹状であり、その幅は前記両側縦材の間の距離よりも短く、且つ、前記突出部の間の距離よりも長い外蛇腹体と、を具備する遮蔽スクリーンを備え、
前記遮蔽スクリーンは、当該遮蔽スクリーンを引き下げて前記開口部又は間仕切部を覆っているときには、前記中蛇腹体の折曲部分の角度が広がって前記中蛇腹体の各辺が傾斜することにより、屋内側及び屋外側の前記外蛇腹体の折曲部分の間の距離が接近し、当該外蛇腹体の側端が前記突出部の側面に当接するとともに、
前記遮蔽スクリーンを引き上げて前記開口部又は前記間仕切部を開放しているときは、前記中蛇腹体の折曲部分の角度が狭まって当該中蛇腹体の各辺が水平に近づくことにより、屋内側及び屋内側の前記外蛇腹体の折曲部分の間の距離が広がり、当該外蛇腹体の側端が前記突出部の側面から離れることを特徴とするスクリーンシャッタ構造。
【請求項２】
建物の開口部又は建物の内部空間を仕切る間仕切部に設けられ、水平方向に伸縮して当該開口部又は当該間仕切部を開放及び遮蔽可能なスクリーンシャッタ構造において、
前記開口部又は前記間仕切部には、その上下の横材に水平方向に沿って互いに対向してそれぞれ１以上の突条からなる突出部が形成されており、
前記突出部の間に収まる形状の蛇腹状に形成された１又は複数層の中蛇腹体と、該中蛇腹体の両側の折曲部分にそれぞれ固定され、前記開口部又は前記間仕切部を遮蔽するときに略平面状で、前記開口部又は前記間仕切部を開放するときに折り重ねられる蛇腹状であり、その幅は前記上下の横材の間の距離よりも短く、且つ、前記突出部の間の距離よりも長い外蛇腹体と、を具備する遮蔽スクリーンを備え、
前記遮蔽スクリーンは、前記開口部又は前記間仕切部を覆っているときには、前記中蛇腹体が展開しつつ伸張することにより、屋内側及び屋外側の前記外蛇腹体の間の距離が接近して、前記開口部又は前記間仕切り部の上下に設けられた突出部に前記外蛇腹体が当接するとともに、
前記開口部又は前記間仕切部を開放したときには、前記中蛇腹体が折り畳まれることにより、当該中蛇腹体の両側に固定された前記外蛇腹体は互いに離反する方向に移動して、当該外蛇腹体が前記突出部の側面から離れることを特徴とするスクリーンシャッタ構造。
【請求項３】
前記突出部は、その側面に前記外蛇腹体の端部が密接する密接部が設けられたことを特徴とする請求項１又は請求項２に記載のスクリーンシャッタ構造。
【請求項４】
建物の開口部に設けられるスクリーンシャッタ構造であって、少なくとも屋外側の前記外蛇腹体が断熱性及び／又は遮光性を有することを特徴とする請求項１から請求項３のいずれかに記載のスクリーンシャッタ構造。
【発明の詳細な説明】
【技術分野】
【０００１】
本発明は、建物開口部又は建物の内部空間を仕切る間仕切部に設置され、上下方向又は水平方向に伸縮して当該開口部又は間仕切部を開放及び遮蔽可能なスクリーンシャッタ構造に関する。
【背景技術】
【０００２】
従来より、例えば建物開口部における遮光・遮熱の目的で多数のプリーツを施して交互に逆方向に折曲して、上下方向に蛇腹状に伸縮自在とし、その折り畳みにより建物開口部を開閉自在としたスクリーンシャッタ装置が知られており、また建物の間仕切部においても、水平方向に伸縮して必要に応じて建物内部の空間を仕切ることができる例えばアコーディオンカーテンと呼ばれる間仕切りカーテンが知られている。
【０００３】
また、図１２に示すように、このような蛇腹状のスクリーン１００を折り畳み部１０１の山側が接するように複数接合して厚さ方向に多層化し、伸長したときに中空部１０２が形成されることにより、断熱性を高めたスクリーンシャッタ装置１０３も提案されている（例えば特許文献１）。
【０００４】
また、ロールアップ式のスクリーンシャッタにおいて、冷暖房効率を高めるために開口部の両側縦材に溝状のレールが設けられ、このレール内にスクリーンの両側端を挿入して気密性を確保するスクリーンシャッタ装置も提案されている（例えば特許文献２）。
【先行技術文献】
【特許文献】
【０００５】
【特許文献１】特開平７−２０８０４４号公報
【特許文献２】実開平５−７７４９５号公報
【発明の概要】
【発明が解決しようとする課題】
【０００６】
ところで、中空部１０２を設けて断熱性を高めたスクリーンシャッタ装置は下側に引き伸ばして開口部を遮蔽するときと、上方に引き上げて開口部を開放したときとで、スクリーンの厚さが異なるので、すなわち、遮蔽したときは薄く、開放したときは厚くなるので、開口部の両側縦材に溝状のレールを設けてもスクリーンに密着させることができず、十分な気密性を確保することができない。
【０００７】
そこで、本発明は、中空部を設けて断熱性を高めたスクリーンシャッタ構造であって、且つ、十分な気密性を確保することができるスクリーンシャッタ構造を提供することを目的とする。
【課題を解決するための手段】
【０００８】
請求項１に記載のスクリーンシャッタ構造は、建物の開口部又は建物の内部空間を仕切る間仕切部に設けられ、上下方向に伸縮して当該開口部又は当該間仕切部を開放及び遮蔽可能なスクリーンシャッタ構造において、前記開口部又は前記間仕切部には、その両側縦材に鉛直方向に沿って互いに対向してそれぞれ１以上の突条からなる突出部が形成されており、両側の前記突出部の間に収まる形状の蛇腹状に形成された１又は複数層の中蛇腹体と、該中蛇腹体の両側の折曲部分にそれぞれ固定され、前記開口部又は前記間仕切部を遮蔽するときに略平面状で、前記開口部又は前記間仕切部を開放するときに折り重ねられる蛇腹状であり、その幅は前記両側縦材の間の距離よりも短く、且つ、前記突出部の間の距離よりも長い外蛇腹体と、を具備する遮蔽スクリーンを備え、前記遮蔽スクリーンは、当該遮蔽スクリーンを引き下げて前記開口部又は間仕切部を覆っているときには、前記中蛇腹体の折曲部分の角度が広がって前記中蛇腹体の各辺が傾斜することにより、屋内側及び屋外側の前記外蛇腹体の折曲部分の間の距離が接近し、当該外蛇腹体の側端が前記突出部の側面に当接するとともに、前記遮蔽スクリーンを引き上げて前記開口部又は前記間仕切部を開放しているときは、前記中蛇腹体の折曲部分の角度が狭まって当該中蛇腹体の各辺が水平に近づくことにより、屋内側及び屋内側の前記外蛇腹体の折曲部分の間の距離が広がり、当該外蛇腹体の側端が前記突出部の側面から離れることを特徴としている。
【０００９】
ここで、「間仕切部」とは、建物の内部空間を２以上に仕切る部分をいい、この間仕切部に設けられるスクリーンシャッタ構造は、例えば間仕切壁により仕切られた１室をさらに２つに分割するものの他、収納部の扉や室内に出入りするための屋内ドアとして機能するものであってもよい。
【００１０】
また、外蛇腹体は少なくとも遮蔽スクリーンの両側の間の通気を阻害する程度に気密性を有していることが望ましい。
【００１１】
請求項２に記載のスクリーンシャッタ構造は、建物の開口部又は建物の内部空間を仕切る間仕切部に設けられ、水平方向に伸縮して当該開口部又は当該間仕切部を開放及び遮蔽可能なスクリーンシャッタ構造において、前記開口部又は前記間仕切部には、その上下の横材に水平方向に沿って互いに対向してそれぞれ１以上の突条からなる突出部が形成されており、前記突出部の間に収まる形状の蛇腹状に形成された１又は複数層の中蛇腹体と、該中蛇腹体の両側の折曲部分にそれぞれ固定され、前記開口部又は前記間仕切部を遮蔽するときに略平面状で、前記開口部又は前記間仕切部を開放するときに折り重ねられる蛇腹状であり、その幅は前記上下の横材の間の距離よりも短く、且つ、前記突出部の間の距離よりも長い外蛇腹体と、を具備する遮蔽スクリーンを備え、前記遮蔽スクリーンは、前記開口部又は前記間仕切部を覆っているときには、前記中蛇腹体が展開しつつ伸張することにより、屋内側及び屋外側の前記外蛇腹体の間の距離が接近して、前記開口部又は前記間仕切り部の上下に設けられた突出部に前記外蛇腹が当接するとともに、前記開口部又は前記間仕切部を開放したときには、前記中蛇腹体が折り畳まれることにより、当該中蛇腹体の両側に固定された前記外蛇腹体は互いに離反する方向に移動して、当該外蛇腹体が前記突出部の側面から離れることを特徴としている。
【００１２】
請求項３に記載のスクリーンシャッタ構造は、前記突出部は、その側面に前記外蛇腹体の端部が密接する密接部が設けられたことを特徴としている。
【００１３】
請求項４に記載のスクリーンシャッタ構造は、建物の開口部に設けられるスクリーンシャッタ構造であって、少なくとも屋外側の前記外蛇腹体が断熱性及び／又は遮光性を有することを特徴としている。
【発明の効果】
【００１４】
請求項１に記載のスクリーンシャッタ構造によると、中蛇腹体の両側にそれぞれ気密性を有する外蛇腹体が形成されているので、筒状の空気層を形成することができ断熱性に優れる。そして、遮蔽スクリーンを上方に引き上げて開口部又は間仕切部を開放したときには、中蛇腹体が折り畳まれることにより、この中蛇腹体の両側に固定された外蛇腹体は互いに離反し、遮蔽スクリーンを下方に引き下げて開口部又は間仕切部を遮蔽したときには、中蛇腹体が展開しつつ伸長することにより、外蛇腹体は互いに接近する。また、中蛇腹体の形状は開口部又は間仕切部の両側縦材にそれぞれ形成された突出部の間に収まる形状であって、外蛇腹体の幅は両側縦材の間の距離よりも短く、且つ、突出部の間の距離よりも長い幅であるので、外蛇腹体の側端は中蛇腹体の側端よりも側方に突出している。下方に引き下げて開口部又は間仕切部を遮蔽したときに、両側の外蛇腹体が互いに接近することにより、これら外蛇腹体がその側端で、突出部を挟んだ状態で保持されるので、開口部又は間仕切部の両側縦材と遮蔽スクリーンの両側部との間で空気が移動する間隙を少なくすることができ、気密性を高めることができる。このようにスクリーンシャッタ構造の両側の間の気密性を高めて空気の流動を減らすことにより、より断熱性を高めて冷暖房効率を高めることができるとともに、特に建物の開口部に設けた場合には断湿性を高めて窓ガラスの結露を防止することができる。
【００１５】
また、請求項２に記載のスクリーンシャッタ構造も請求項１のものと、同様に、中蛇腹体の両側にそれぞれ気密性を有する外蛇腹体が形成されているので、筒状の空気層を形成することができ断熱性に優れる。そして、遮蔽スクリーンを水平方向に折り畳んで開口部又は間仕切部を開放したときには、中蛇腹体が折り畳まれることにより、この中蛇腹体の両側に固定された外蛇腹体は互いに離反し、遮蔽スクリーンを引き伸ばして開口部又は間仕切部を遮蔽したときには、中蛇腹体が展開しつつ伸長することにより、外蛇腹体は互いに接近する。また、中蛇腹体の形状は開口部又は間仕切部の上下の横材にそれぞれ形成された突出部の間に収まる形状であって、外蛇腹体の幅は上下の横材の間の距離よりも短く、且つ、突出部の間の距離よりも長い幅であるので、外蛇腹体の上下端は中蛇腹体の上下端よりも上方及び下方に突出している。遮蔽スクリーンを水平方向に引き伸ばして開口部又は間仕切部を遮蔽したときに、両側の外蛇腹体が互いに接近することにより、これら外蛇腹体がその上下端で、突出部を挟んだ状態で保持されるので、開口部又は間仕切部の上下の横材と遮蔽スクリーンの上下の端部との間で空気が移動する間隙を少なくすることができ、気密性を高めることができる。このようにスクリーンシャッタ構造の両側の間の気密性を高めて空気の流動を減らすことにより、水平方向に伸縮するスクリーンシャッタ構造であっても、より断熱性を高めて冷暖房効率を高めることができるとともに、特に建物の開口部に設けた場合には断湿性を高めて窓ガラスの結露を防止することができる。
【００１６】
請求項３に記載のスクリーンシャッタ構造によると、突出部は、その側面に密接部が固定されているので、外蛇腹体がわずかに凹凸していても密接部がフィットすることができるので、より気密性を高めることができる。
【００１７】
請求項４に記載のスクリーンシャッタ構造によると、建物の開口部に設けられるスクリーンシャッタ構造であって、少なくとも屋外側の外蛇腹体が断熱性を有する場合は、遮蔽スクリーン内の空間に熱が入り込まず寄り高い断熱性を保持することができる。また、遮光性を有する場合は、遮光スクリーンシャッタとしての機能を発揮することができる。
【図面の簡単な説明】
【００１８】
【図１】開口部を遮蔽した状態のスクリーンシャッタ構造を示す省略鉛直断面図。
【図２】開口部を開放した状態のスクリーンシャッタ構造を示す省略鉛直断面図。
【図３】（Ａ）は、伸長した状態の遮蔽スクリーンの形状を説明する図、（Ｂ）は縮退した状態の遮蔽スクリーンの形状を説明する図。
【図４】開口部を遮蔽した状態のスクリーンシャッタ構造を示す省略水平断面図。
【図５】開口部を開放した状態のスクリーンシャッタ構造を示す省略水平断面図。
【図６】（Ａ）は図４のＡ部分拡大図、（Ｂ）は図５のＢ部分拡大図
【図７】２つの蛇腹状シートを組み合わせて形成した中蛇腹体を有する遮蔽スクリーンの形状を説明する図。
【図８】３つの蛇腹状シートを組み合わせて形成した中蛇腹体を有する遮蔽スクリーンの形状を説明する図。
【図９】連続しない交互に逆方向に傾斜するシート体により形成した中蛇腹体を有する遮蔽スクリーンの形状を説明する図。
【図１０】遮蔽スクリーンが水平方向に伸縮するスクリーンシャッタ構造を上方から見た水平断面図。
【図１１】２本の平行な突条からなる突出部を説明する水平断面図及びその一部拡大図。
【図１２】従来のスクリーンシャッタ装置を説明する図。
【発明を実施するための形態】
【００１９】
以下、本発明のスクリーンシャッタ構造１の最良の実施形態について、各図を参照しつつ説明する。このスクリーンシャッタ構造１は、例えば建物の開口部２に設けられて、上下方向に伸縮して開口部２を開放及び遮蔽可能なものである。なお、本実施形態においては、建物の開口部２に設置されるスクリーンシャッタ構造１を例示して説明するが、スクリーンシャッタ構造１は、建物の開口部２に限られず、建物の内部空間を仕切る間仕切部にも設置することができる。建物開口部２は上下一対の横材３ｂと両側縦材３ａとを有する矩形の額縁３により構成される例えば窓又はドアである。図１に示すように、額縁３の屋外側には引き違い窓ガラス４が嵌められた窓枠５が形成されており、屋内側にスクリーンシャッタ構造１が形成されている。
【００２０】
スクリーンシャッタ構造１は、開口部２を覆う遮蔽スクリーン６と、遮蔽スクリーン６を上下に伸縮させる滑車７と、遮蔽スクリーン６の両側縁に当接するように額縁３の両側縦材３ａに鉛直方向に沿って互いに対向してそれぞれ形成される１本の突条からなる突出部８と、を主要構成として形成されている。図１及び図３に示すように、遮蔽スクリーン６は、例えば樹脂製のシートであって、交互に逆方向に折曲して上下方向に伸縮自在な蛇腹状に形成した中蛇腹体６１と、中蛇腹体６１の折曲部分で屋内側及び屋外側に接合した蛇腹状の外蛇腹体６２と、を備えている。また、遮蔽スクリーン６の下端には座板６３が中蛇腹体６１及び外蛇腹体６２に固定されており、遮蔽スクリーン６で開口部２を覆ったときに下部に間隙ができることを防いでいる。屋内側及び屋外側の外蛇腹体６２と中蛇腹体６１とはそれぞれの折曲部分の山側同士が互いに当接するように接合されており、中蛇腹体６１の折曲部分から隣接する折曲部分までの長さは、外蛇腹体６２の折曲部分から隣接する折曲部分までの長さよりも長く形成されている。
【００２１】
これにより、遮蔽スクリーン６を引き下げて開口部２を覆う状態にしたときに、図１及び図３（Ａ）に示すように、外蛇腹体６２は略平面状となるが、中蛇腹体６１は折曲部分が広がるものの６０度程の鋭角を維持し、中蛇腹体６１の隣接する２辺と外蛇腹体６２とにより構成される中空の略３角筒状を上下方向に連設した形状となる。また、遮蔽スクリーン６を引き上げて開口部２を開放したときには、図２及び図３（Ｂ）に示すように、中蛇腹体６１及び外蛇腹体６２がそれぞれ折曲部分で折り畳まれて、開口部２の上部に保持される。
【００２２】
遮蔽スクリーン６は、図３（Ａ）によく表わされているように、遮蔽スクリーン６を引き下げて開口部２を覆っているときには、中蛇腹体６１の折曲部分の角度が広がって中蛇腹体６１の各辺が傾斜することにより、屋内側の外蛇腹体６２の折曲部分と屋外側の外蛇腹体６２の折曲部分との間の距離イは接近する。また、遮蔽スクリーン６を引き上げて開口部２を開放しているときは、図３（Ｂ）に示すように、中蛇腹体６１の折曲部分の角度が狭まって中蛇腹体６１の各辺が水平に近づくことにより、屋内側の外蛇腹体６２の折曲部分と屋外側の外蛇腹体６２の折曲部分との間の距離ロが広がる。中蛇腹体６１は額縁３の両側縦材３ａに鉛直方向に沿って互いに対向してそれぞれ形成される１本の突条からなる突出部８の間に収まる形状の蛇腹状に形成されており、外蛇腹体６２の幅は両側縦材３ａの間の距離よりも短く、且つ、突出部８の間の距離よりも長く形成されている。
【００２３】
滑車７は、一端が座板６３に固定された牽引紐９の他端側が固定されており、滑車７の回転によってこの牽引紐９を巻き取って座板６３を上方に引き上げることにより、遮蔽スクリーン６を上方に折り畳みつつ引き上げるものである。なお、スクリーンシャッタ構造１の滑車７は電動でも手動でもよく、また、遮蔽スクリーン６を折り畳みつつ引き上げることができる構成であれば滑車７以外の構成であってもよい。
【００２４】
突出部８は、図４から図６に示すように、額縁３の両側縦材３ａの上端から下端まで鉛直方向に沿って突出しており水平断面が四角く形成されている。この突出部８は、屋内側及び屋外側の外蛇腹体６２の側端の間に挟まれる位置に配置されており、開口部２を遮蔽したときに両側の外蛇腹体６２の側端にそれぞれの側面が当接する形状である。突出部８の両側の側面には密接部１０が固定されており、当接した外蛇腹体６２の側端の形状にフィットするように変形する。この密接部１０は例えば密に植わった繊毛により形成されており、この密接部１０が外蛇腹体６２の側端の形状にフィットして突出部８の側面と外蛇腹体６２の側端との間に間隙ができるのを防いでいる。なお、密接部１０はこれに限定されるものではなく、空気が透過することを抑制でき、外蛇腹体６２の形状に応じて変形できるものであれば、例えば樹脂又はゴムなどの他の材料であってもよい。
【００２５】
また、本実施形態においては突出部８は水平断面が四角い柱状に形成されているが、そのほかの形状であっても良く、また図１１に示すように、突出部８は互いに間隔を開けて平行な２本の突条により形成されていてもよい。すなわち外蛇腹体６２の側端と密接することができる側面を有した形状であれば、通気を抑制することができる。なお、図１１においては、中蛇腹体６１はその側縁が直線状に形成され突出部８に収まる幅に形成されているが、２本の突条と干渉しない形状であればこれに限定されるものではなく、中蛇腹体６１の中間部の幅が例えば外蛇腹体６２の幅と等しく形成されていてもよい。
【００２６】
このように構成されるスクリーンシャッタ構造１は、図１に示すように、開口部２を遮蔽したときに、中蛇腹体６１及び外蛇腹体６２で構成される中空の略３角筒状体を上下方向に連設した形状であるので、内部に空気を保持することができ断熱性に優れる。また、図３（Ａ）に示すように、遮蔽スクリーン６を下方に引き下げて開口部２を遮蔽したときには、中蛇腹体６１が展開しつつ伸長することにより、外蛇腹体６２は互いに接近することとなる。これにより、図４及び図６（Ａ）に示すように、外蛇腹体６２はその側端が突出部８の側面に固定された密接部１０に当接するので、遮蔽スクリーン６と額縁３の両側縦材３ａとの間に空気が通り抜けることができる間隙ができることを抑制でき、スクリーンシャッタ構造１の屋内側と屋外側との間の気密性を高めることができる。
【００２７】
これにより夏の暑い外気や冬の冷たい外気が屋内側に流入することがなく、高い断熱性を発揮して冷暖房効率を高めることができる。また、スクリーンシャッタ構造１の屋内側と屋外側との間の気密性を高めることにより、冬に屋内側の湿度の高い空気が窓ガラス４に直接触れることがないので、窓ガラス４の結露を効果的に抑制することができる。
【００２８】
また、開口部２を開放するときには、中蛇腹体６１が折り畳まれることにより、図３（Ｂ）に示すように、この中蛇腹体６１の屋内側と屋外側に固定された外蛇腹体６２の折曲部分は互いに離反することになる。これにより図５及び図６（Ｂ）に示すように、外蛇腹体６２はその側端が突出部８の側面から離れることになる。したがって、遮蔽スクリーン６と突出部８との間に摩擦力が発生することがなく、遮蔽スクリーン６をスムーズに引き上げることができる。
【００２９】
なお、少なくとも屋外側の外蛇腹体６２は断熱性を有することが好ましい。前述の通り、スクリーンシャッタ構造１は高い気密性を有し、屋外側の空気が直接屋内側に流入して屋外の気温を屋内に伝えることを防いでいるが、このように外蛇腹体６２が断熱性を有することで、外気温が外蛇腹体６２から中蛇腹体６１に伝達されて屋内側に伝わることも抑制することができる。また、屋外側の外蛇腹体６２として遮光性を有するものを選択することで、遮光スクリーンシャッタとしての機能を発揮することもできる。外蛇腹体６２が断熱性や遮光性を有する構成としては、外蛇腹体６２自体を断熱性や遮光性の高い不織布や樹脂シートで形成しても良く、また、外蛇腹体６２に断熱性や遮光性を有する材料をコーティングしてもよい。
【００３０】
また、遮蔽スクリーン６の形状は、上述のものに限定されるものではない。例えば図７に示すように、遮蔽スクリーン６を構成する中蛇腹体６１は、交互に逆方向に折曲して上下方向に伸縮自在な蛇腹状に形成した第１蛇腹状シート６１ａと、同様に交互に逆方向に折曲して上下方向に伸縮自在な蛇腹状に形成した第２蛇腹状シート６１ｂと、を互いの折曲部分の山側で接合して形成し、菱形の筒状体を連設した形状に形成してもよい。この場合も中蛇腹体６１の屋外側及び屋内側の折曲部分にそれぞれ外蛇腹体６２を接合して形成した遮蔽スクリーン６とすることができる。このように形成したとしても、開口部２を遮蔽した場合には、中蛇腹体６１が展開しつつ伸長することで、外蛇腹体６２は互いに接近し、その側端が突出部８を挟んで突出部８の側面に当接することにより気密性を高め、開口部２を開放する場合には、中蛇腹体６１が折り畳まれることにより、外蛇腹体６２は互いに離反して突出部８から離れるので、遮蔽スクリーン６をスムーズに引き上げることができる。
【００３１】
なお、遮蔽スクリーン６の形状は図８に示すように、交互に逆方向に折曲して上下方向に伸縮自在な蛇腹状に形成した３以上の蛇腹状シート６１ｃをその折曲部分の山側同士で順次接合して中蛇腹体６１を形成してもよい。このように構成しても上記と同様の効果を得ることができる。
【００３２】
また、中蛇腹体６１は交互に逆方向に傾斜する形状であればよく、例えば図９に示すように、互いに連続しない交互に逆方向に傾斜するシート体６１ｄにより蛇腹状に形成した中蛇腹体６１であっても良く、この場合外蛇腹体６２が接合されて、開口部２を覆うように伸長した場合に断面概略台形の筒状体を連設した形状であってもよい。中蛇腹体６１及び外蛇腹体６２は１枚のシートにより構成されるものに限定されず、中蛇腹体６１と外蛇腹体６２と組み合わせたときに、断熱性を有する遮蔽スクリーン６の形状となっていればよい。
【００３３】
なお、上述のとおり、スクリーンシャッタ構造１は、建物の開口部２に限られず、建物の内部空間を仕切る間仕切部にも設置することができる。すなわち、間仕切部の両側に突出部８を備える両側縦材３ａを設けておき、この間仕切部を覆う遮蔽スクリーン６を設置することでスクリーンシャッタ構造１を構成することができる。このような間仕切部に設置されるスクリーンシャッタ構造１は、上下方向に伸縮して間仕切部を開放及び遮蔽可能となるので、例えば、広い部屋が必要な場合には間仕切部を開放し、２室必要な場合には間仕切部を遮蔽して部屋を仕切ることができ、建物の内部空間をフレキシブルに使用することができる。また、このスクリーンシャッタ構造を建物の収納部の扉や室内に出入りするための屋内ドアとして機能させることで高気密且つ高断熱の扉や屋内ドアとして機能させることができる。
【００３４】
また、スクリーンシャッタ構造１としては、例えば建物の開口部２又は間仕切部に設けられるものであって、遮蔽スクリーン６が水平方向に伸縮して開口部２又は間仕切部を開放及び遮蔽可能なものであってもよい。このようなスクリーンシャッタ構造１としては、図１０に示すように、例えば建物の内部空間を仕切る間仕切部に設けられ、この間仕切部の上下に設けられる横材３ｂに水平方向に沿って互いに対向してそれぞれ突出部８が形成されており、この間仕切部を遮蔽可能な遮蔽スクリーン６が設置されたものがある。遮蔽スクリーン６の一方の側端は間仕切部の一方の縦材３１に固定されている。そして、間仕切部の他方の縦材３２には永久磁石の受部６４が固定されており、遮蔽スクリーン６の他方の側端に間仕切部に沿って水平方向に移動可能に設けられた框６５には、受部６４に着脱自在な永久磁石の着脱部６６が固定されている。遮蔽スクリーン６は前述の上下方向に伸縮するスクリーンシャッタ構造１と同様に、突出部８の間に収まる幅の蛇腹状に形成された１又は複数層の中蛇腹体６１と、中蛇腹体６１の両側の折曲部分にそれぞれ固定され、間仕切部を遮蔽するときに略平面状で、間仕切部を開放するときには折り重ねられる蛇腹状であり、その幅は上下の横材の間の距離よりも短く、且つ、突出部８の間の距離よりも長い気密性を有する外蛇腹体６２と、を具備している。
【００３５】
このように構成されたスクリーンシャッタ構造１は、間仕切部を遮蔽するときには、図１０（Ａ）に示すように、框６５を他方の縦材６２まで移動させて受部６４に着脱部６６を固定して、間仕切部を遮蔽スクリーン６で覆い、間仕切部を開放するときには、図１０（Ｂ）に示すように、他方の縦材３２の受部６４から着脱部６６を外して框を一方の縦材３１側に移動させる。
【００３６】
これにより間仕切部を遮蔽したときには、中蛇腹体６１及び外蛇腹体６２で構成される中空の略３角筒状体を水平方向に連設した形状となって、内部に空気を保持することができ断熱性に優れるとともに、中蛇腹体６１が展開しつつ伸長することにより、外蛇腹体６２は互いに接近して上下に設けられた突出部８に当接して、遮蔽スクリーン６と上下の横材３ｂとの間に空気が通り抜けることができる間隙ができることを抑制でき、スクリーンシャッタ構造１の両側の間の気密性を高めることができる。
【００３７】
なお、本発明の実施の形態は上述の形態に限ることなく、本発明の思想の範囲を逸脱しない範囲で適宜変更することができることは云うまでもない。
【産業上の利用可能性】
【００３８】
本発明に係るスクリーンシャッタ構造１は、建物の窓などの開口部２に目隠し・断熱・遮光・遮音などの目的で設置されるスクリーンシャッタ構造１又は建物の内部空間を仕切るために設置されるスクリーンシャッタ構造１として好適に用いることができる。
【符号の説明】
【００３９】
１      スクリーンシャッタ構造
２      開口部
３ａ    両側縦材
６      遮蔽スクリーン
８      突出部
６１    中蛇腹体
６２    外蛇腹体
【図１】
0005716632.tif 000002
【図２】
0005716632.tif 000003
【図３】
0005716632.tif 000004
【図４】
0005716632.tif 000005
【図５】
0005716632.tif 000006
【図６】
0005716632.tif 000007
【図７】
0005716632.tif 000008
【図８】
0005716632.tif 000009
【図９】
0005716632.tif 000010
【図１０】
0005716632.tif 000011
【図１１】
0005716632.tif 000012
【図１２】
0005716632.tif 000013